(57)【要約】【課題】本発明は、補修が必要な太陽電池モジュールが点検作業者によって発見された後、補修作業者に引き継いだ場合、又は、日時が変わった場合であっても、補修対象である太陽電池モジュールに直ちに到達し、適切な補修又は点検作業を提示することが可能な太陽光発電設備保守システムを提供することを目的とする。【解決手段】上記課題を解決するため、太陽電池モジュールに個別に貼付され、各々の位置情報を含む情報が格納された二次元コードと、前記情報を取得し管理する情報処理端末と、を備え、前記情報処理端末が、複数設置された前記太陽電池モジュールの配置図を表示部に表示し、取得部によって読み込み処理を行った前記二次元コードが貼付された前記太陽電池モジュールの位置を前記配置図上に示すこと、を特徴とする。【選択図】          図１
2020046697.tif 000002
【特許請求の範囲】
【請求項１】
太陽光発電設備に設置された複数の太陽電池モジュールの保守点検に必要な情報を取得し作業者に示す太陽光発電設備保守システムにおいて、
前記太陽電池モジュールに個別に貼付され、各々の位置情報を含む前記情報が格納された二次元コードと、
前記情報を取得し管理する情報処理端末と、
を備え、
前記情報処理端末が、
前記二次元コードに格納された前記情報を読み込んで取得する取得部と、
該取得部で取得された前記情報を作業者が入力する各種の命令に従って演算処理し管理する処理部と、
前記情報を記憶する記憶部と、
作業者が情報及び命令を入力するための入力部と、
作業者の表示命令に従って演算処理された前記情報を表示する表示部と、
を備え、
複数設置された前記太陽電池モジュールの配置図を前記表示部に表示し、前記取得部によって読み込み処理を行った前記二次元コードが貼付された前記太陽電池モジュールの位置を前記配置図上に示すこと、
を特徴とする太陽光発電設備保守システム。
【請求項２】
前記太陽光発電設備保守システムが、
管理サーバ、
を備え、
前記情報処理端末が、
前記処理部で管理される前記情報に関してネットワークを介して前記管理サーバと通信を行う通信部、
を備え、
前記管理サーバが、
前記情報に関して前記ネットワークを介して前記情報処理端末と通信を行うサーバ通信部と、
前記通信部から取得された前記情報を作業者が入力する各種の命令に従って演算処理し管理するサーバ処理部と、
前記情報を記憶するサーバ記憶部と、
を備え、
前記ネットワークを介して前記情報処理端末から送信される太陽電池モジュールの位置情報を含むメンテナンス情報を演算処理し保存して管理すること、
を特徴とする請求項１に記載する太陽光発電設備保守システム。
【請求項３】
前記入力部から特定の太陽電池モジュールに関して保守点検が必要であることを入力する手段と、
保守点検が必要であることを入力された場合、保守点検情報テーブル上に、前記処理部によって保守点検フラグを位置情報と太陽電池モジュールの個体番号とに関連付ける演算手段と、
前記記憶部又は前記サーバ記憶部に、前記位置情報と前記太陽電池モジュールの個体番号とが関連付けられて格納された保守点検情報テーブルを記憶する手段と、
前記処理部又は前記サーバ処理部が、作業者が入力する保守モジュール表示命令によって保守点検が必要な太陽電池モジュールを前記表示部の前記配置図上に表示する一方で、作業者が任意の太陽電池モジュールの二次元コードを前記取得部から読み取って現在位置表示命令を入力することによって、前記配置図上に該太陽電池モジュールを示し、保守点検が必要な太陽電池モジュールまで案内する手段と、
を有すること、
を特徴とする請求項１又は請求項２に記載する太陽光発電設備保守システム。
【発明の詳細な説明】
【技術分野】
【０００１】
本発明は、二次元コードを用いていわゆるメガソーラと呼ばれる大規模太陽光発電設備の効率の良い保守・点検・維持管理を支援するためのシステムに関する。
【背景技術】
【０００２】
太陽光発電は、現在総発電電力量の１０％近くを占める電源に成長し、今後も導入が進むことが予想され安定した供給電源として期待されている。屋外に設置された太陽光発電設備を長期に安定して運用するためには、外的要因に起因する発電性能の低下や設備の不具合による運転停止といったトラブルを未然に防止する必要がある。そのためには、太陽光発電設備の定期的な巡視や点検を行うことが重要となる。
【０００３】
太陽光発電設備の保守点検については、電気事業法などで発電規模別に定められている。２，０００ｋＷ以上の大規模太陽光発電設備では、常駐による維持管理や電気主任技術者を選任して１年に４回以上定期点検を行うことが示されている。
【０００４】
大規模太陽光発電設備で最も多いトラブルは「パワーコンディショナシステム（以下、ＰＣＳ）の停止」であり、「太陽電池モジュールの破損、腐食」がそれに続いている。
【０００５】
ＰＣＳの不具合は、センサを使用することにより遠隔監視を行うことで発見されることが多くなっているが、太陽電池モジュールの「鳥獣害による破損」、「草木の成長による発電電力量の低下」、「風による物の飛散による破損」や「錆・腐食による破損」などは定期的な目視による点検が必要である。
【０００６】
特に大規模太陽光発電設備においては、太陽電池モジュールが数千枚に及ぶため前記のトラブルの可能性は高まる。さらに太陽光発電設備の運用期間が長くなれば故障率が上昇すると考えられる。したがって、多くの大規模太陽光発電事業者は、２ヶ月に１回以上の定期点検を実施して発電量を維持している。
【０００７】
従来から太陽電池モジュールの保守点検は、太陽電池モジュールの配置図面に個体番号を付与し、当該番号と関連付けられたドキュメントに点検内容、保守作業内容及びこれらの履歴が記録されたものを保守点検管理シートとして活用して行われてきた。
【０００８】
太陽電池モジュールや太陽電池モジュールの架台に関する検査項目が、「太陽光発電システム保守点検ガイドライン」に示されている。目視の検査項目だけでも、「太陽電池モジュールの汚れ及び破損」、「太陽電池モジュールフレームの破損及び変形」、「架台・基礎の状態」、「太陽電池モジュール及び架台固定」、「周囲の状況」、「太陽電池モジュール及び架台の接地」、「防水処理」、「屋根葺材の破損」、「配線及び電線管の損傷」と１０項目近くに及ぶ。また、各々の項目には複数のチェック箇所があり、１枚の太陽電池モジュールの保守点検作業には相当の手間を要する。
【０００９】
保守点検作業者は、複数名で大規模太陽光発電設備の現場に保守点検管理シートを持ち込み、個別の太陽電池モジュールと照合することによって、必要な保守点検作業を行う。しかしながら、数千枚もの太陽電池モジュールの保守点検作業は容易ではない。今後、さらに大規模太陽光発電設備が増加することになると、広範囲に離散している大規模太陽光発電設備の保守点検作業、特に現地での作業の効率化が重要となる。
【００１０】
上記のような問題は、太陽光発電設備に関わらず、様々な設備及び装置においても存在する。このような問題に鑑みて、二次元コードなどを使用した保守支援システムの技術が開示されている。
【００１１】
特許文献１では、プラントに設置された装置に付随して設けられた二次元コードから、当該装置の識別情報、位置情報、種別情報及び保守点検に必要なドキュメントの記憶場所に関する情報を入手し、ドキュメントを取得する情報探索システムが開示されている。
【００１２】
特許文献２では、メンテナンス対象機器が複数の構成装置からなり、各々の構成装置に対して異なるメンテナンス作業が必要となる場合に、バーコードから情報を取得してメンテナンスを行う構成装置に適したメンテナンス情報を作業者に示すメンテナンス支援システムが開示されている。
【先行技術文献】
【特許文献】
【００１３】
【特許文献１】特開２０１７−４２８０号公報
【特許文献２】特開２００５−１４１３３７号公報
【発明の概要】
【発明が解決しようとする課題】
【００１４】
不具合が軽微で、発見すると同時に補修作業を行うことができる場合には、改めて不具合が発生している太陽電池モジュールを探すという作業は発生しない。
【００１５】
しかし、別途に補修材料が必要である、又は、精密な検査装置が必要であるなどの理由から保守作業の日時を改めなければならないときには、数千枚設置された太陽モジュール群から該当する一枚の太陽電池モジュールを探さなければならない。同じ形状で同じ方法で設置された太陽電池モジュールから不良が発生している目的の太陽電池モジュールを探すことは非常に困難であり効率が悪い。
【００１６】
従来、太陽電池モジュールの位置に対応した番号は現地の太陽電池モジュールには付与されておらず、図面上でのみ太陽電池モジュールの位置に対応した行と列とを識別して番号を付与する、又は、設置したブロックごとに番地を付与するなど工夫をされてきたが、現場では太陽電池モジュールに表示された番号はなく、不具合のある太陽電池モジュールを発見するたびに、図面の太陽電池モジュールと照合するために、現場で縦横の端から数えていき１枚ずつ照らし合わせる探索作業が必要となり、これに膨大な時間がかかっている。大規模太陽光発電設備では、太陽電池モジュールが数千枚あるため数え間違える上に効率が非常に悪い。また、保守点検作業者が太陽電池モジュールの配置図に付した番号を目で読み取って、現地で太陽電池モジュールを数えて照合する方法は、同形式の太陽電池モジュールが多数並んでいる大規模太陽光発電設備では、誤認が発生する可能性が非常に高い。特に、検査作業者と補修作業者とが異なる場合に、検査作業者によって補修が必要であることを発見された太陽電池モジュールを補修作業者が探す作業のために時間がかかる問題があった。
【００１７】
特許文献１では、ＧＰＳ（全地球無線測位システム）によって位置を特定する技術が開示されているが、数ｃｍから１ｍ程度以内に近接して並べられた隣り合う太陽電池モジュールを判別することは難しい場合がある。特に、急斜面に設置された太陽電池モジュールは、ＧＰＳによって上下方向の位置を把握することができないため、該当する太陽電池モジュールの特定が難しい。
【００１８】
特許文献２では、保守点検を行う構成装置と同じ装置が多数設置されている場合には、目的の構成機器を見つめるためには、改めて装置ごとに付されている二次元コードを読み取って該当する構成装置を探すことになるため、大規模太陽光発電設備には向いていない。
【００１９】
本発明は、上記課題に鑑みてなされたものであり、補修が必要な太陽電池モジュールが点検作業者によって発見された後、補修作業者に引き継いだ場合、又は、日時が変わった場合であっても、補修対象である太陽電池モジュールに直ちに到達し、適切な補修又は点検作業を提示することが可能な太陽光発電設備保守システムを提供することを目的とする。
【課題を解決するための手段】
【００２０】
上記課題を解決するため、本発明の太陽光発電設備保守システムは、太陽光発電設備に設置された複数の太陽電池モジュールの保守点検に必要な情報を取得し作業者に示す太陽光発電設備保守システムにおいて、前記太陽電池モジュールに個別に貼付され、各々の位置情報を含む前記情報が格納された二次元コードと、前記情報を取得し管理する情報処理端末と、を備え、前記情報処理端末が、前記二次元コードに格納された前記情報を読み込んで取得する取得部と、該取得部で取得された前記情報を作業者が入力する各種の命令に従って演算処理し管理する処理部と、前記情報を記憶する記憶部と、作業者が情報及び命令を入力するための入力部と、作業者の表示命令に従って演算処理された前記情報を表示する表示部と、を備え、複数設置された前記太陽電池モジュールの配置図を前記表示部に表示し、前記取得部によって読み込み処理を行った前記二次元コードが貼付された前記太陽電池モジュールの位置を前記配置図上に示すこと、を特徴とする。
【００２１】
また、前記太陽光発電設備保守システムが、管理サーバ、を備え、前記情報処理端末が、前記処理部で管理される前記情報に関してネットワークを介して前記管理サーバと通信を行う通信部、を備え、前記管理サーバが、前記情報に関して前記ネットワークを介して前記情報処理端末と通信を行うサーバ通信部と、前記通信部から取得された前記情報を作業者が入力する各種の命令に従って演算処理し管理するサーバ処理部と、前記情報を記憶するサーバ記憶部と、を備え、前記ネットワークを介して前記情報処理端末から送信される太陽電池モジュールの位置情報を含むメンテナンス情報を演算処理し保存して管理すること、を特徴とする。
【００２２】
また、前記太陽光発電設備保守システムが、前記入力部から特定の太陽電池モジュールに関して保守点検が必要であることを入力する手段と、保守点検が必要であることを入力された場合、保守点検情報テーブル上に、前記処理部によって保守点検フラグを位置情報と太陽電池モジュールの個体番号とに関連付ける演算手段と、前記記憶部又は前記サーバ記憶部に、前記位置情報と前記太陽電池モジュールの個体番号とが関連付けられて格納された保守点検情報テーブルを記憶する手段と、前記処理部又は前記サーバ処理部が、作業者が入力する保守モジュール表示命令によって保守点検が必要な太陽電池モジュールを前記表示部の前記配置図上に表示する一方で、作業者が任意の太陽電池モジュールの二次元コードを前記取得部から読み取って現在位置表示命令を入力することによって、前記配置図上に該太陽電池モジュールを示し、保守点検が必要な太陽電池モジュールまで案内する手段と、を有すること、を特徴とする。
【発明の効果】
【００２３】
本発明の太陽光発電設備保守システムによれば、数千枚の太陽電池モジュールが設置されるメガソーラと呼ばれる大規模太陽光発電設備であっても、一度不具合が発見されて登録された保守点検が必要な太陽電池モジュールの位置を一目瞭然で把握し、当該太陽電池モジュールに最短距離かつ短時間で到達することができる効果を奏する。また、保守・点検結果をデータベースとして残し、経過年数による不具合箇所の傾向などを容易に分析できることから、太陽電池モジュール単体レベルで恒久的な対策も検討できる。
【００２４】
ローカルネットワーク上に配置された管理サーバやいわゆるクラウドと呼ばれる広域通信ネットワーク上の管理サーバを活用することにより、情報処理端末を選ぶことなく、複数の太陽光発電設備の保守点検情報を自在に入手することが可能である。また、複数の保守点検作業者による太陽光発電設備の保守点検作業が容易になる。
【００２５】
大規模太陽光発電設備の現場では、同形式の太陽電池モジュールが広大な敷地に並べられており作業者は自身の位置を把握することが困難である。本発明に係る太陽光発電設備保守システムを用いることにより、作業者自身の位置と保守点検が必要な太陽電池モジュールの位置関係が配置図上に示され案内されることで視覚によって把握でき、容易かつ最短で目的の太陽電池モジュールに導かれ到達できる効果を奏する。また、複数の保守点検対象太陽電池モジュールに対する作業者の作業順序のイメージ定着、物理的距離や保守点検作業の共通性の観点からの優先順の決定等において有用な効果がある。
【図面の簡単な説明】
【００２６】
【図１】本発明に係る太陽光発電設備保守システム１の一例であるネイティブタイプのシステム構成図である。
【図２】本発明に係る太陽光発電設備保守システム２の他の例であるネットワークタイプのシステム構成図である。
【図３】本発明に係る太陽光発電設備保守システム２のブロック図である。
【図４】本発明に係る太陽光発電設備保守システムにおいて、情報処理端末１２又は管理サーバ２２で使用する保守点検情報テーブルの一例である。
【図５】大規模太陽光発電設備４０の一例を示した平面配置図である。
【図６】太陽電池アレイ４２の一区画の一例を示した平面配置図である。
【図７】太陽電池モジュール４２２の正面方向から視た斜視図である。
【図８】二次元コード１０を貼付した太陽電池モジュール４２２を直列に接続して設置した状態（太陽電池アレイ４２の状態）を示した斜視図である。
【図９】太陽電池モジュール４２２に貼付された二次元コード１０を情報処理端末１２で読み取る作業を示した模式図である。
【図１０】情報処理端末１２の表示部１２６に示す大規模太陽光発電設備４０の配置図の一例である。
【図１１】大規模太陽光発電設備４０の一区画の配置図を情報処理端末１２の表示部１２６に拡大表示した一例を示した図である。
【図１２】本発明に係る太陽光発電設備保守システムを用いて作業者Ｍが目的の太陽電池モジュール４２２（不具合箇所５０）に到達する過程を示した図である。
【図１３】本発明に係る太陽光発電設備保守システムを用いて作業者Ｍが目的の太陽電池モジュール４２２（不具合箇所５０）に到達するための案内モードを示した図である。
【図１４】本発明に係る太陽光発電設備保守システムを用いて作業者Ｍを目的の太陽電池モジュール４２２（不具合箇所５０）に案内中の状態を示した図である。
【発明を実施するための形態】
【００２７】
本発明に係る太陽光発電設備保守システムを実施するための形態について、図を参照しつつ説明する。
【００２８】
図１は、本発明に係る太陽光発電設備保守システム１の一例であるネイティブタイプのシステム構成図である。ネイティブタイプの太陽光発電設備保守システム１は、情報処理端末１２及び太陽電池モジュール４２２（図１では不図示）に貼付された二次元コード１０で構成される。
【００２９】
図２は、本発明に係る太陽光発電設備保守システムの他の例であるネットワークタイプのシステム構成図である。ネットワークタイプの太陽光発電設備保守システム２は、情報処理端末１２及び太陽電池モジュール４２２（図２では不図示）に貼付された二次元コード１０に加えて、広域通信ネットワーク３０（例えば、インターネットが挙げられる。）及び管理サーバ２２で構成される。
【００３０】
二次元コード１０には、位置情報（位置情報の詳細は後述）が格納される。太陽電池モジュール４２２に貼付された二次元コード１０を読み込むことによって、例えば、ネイティブタイプの太陽光発電設備保守システム１に使用される情報処理端末１２であれば、当該情報処理端末１２の保守点検情報テーブルに格納された内容と二次元コード１０から読み込んだ位置情報とを照合し、当該位置情報に対応する太陽電池モジュール４２２の保守点検に必要な情報を取り出すことができる。
【００３１】
図３は、本発明に係る太陽光発電設備保守システム２のブロック図である。ネットワークタイプの太陽光発電設備保守システム２のブロック図を示した。ネイティブタイプの情報処理端末１２も図３の情報処理端末１２と同じブロック構成をなす。
【００３２】
情報処理端末１２は、取得部１２２、処理部１２３、記憶部１２４、入力部１２５、表示部１２６、通信部１２７及びデータバス１２８から構成される。具体的には、アプリケーションソフトウェア（以下、アプリと称する）をインストール可能なタブレット端末、ノートパソコン、携帯電話やスマートフォンなどの持ち運びに適した情報処理装置がよい。
取得部１２２は、画像入力可能な機能を備え二次元コード１０に格納された情報を読み込んで取得する。
処理部１２３は、大規模太陽光発電設備４０において太陽電池モジュール４２２の保守点検を行うために入力及び取得された各種情報について演算及び保守点検情報テーブルへの格納を行う。
記憶部１２４は、太陽電池モジュール４２２の保守点検を行うための保守点検情報テーブルを保存し、処理部１２３の要求に応じて適宜入出力を行う。
入力部１２５は、キーボード、タッチパネルや音声入力を行うマイクなどであって作業者が各種の情報及び命令に関して入力作業を行う。
表示部１２６は、大規模太陽光発電設備４０において太陽電池モジュール４２２の保守点検の状況に関して作業者に通知するために表示を行う。また、入力作業を簡便なものとするための表示を行う。
通信部１２７は、例えばインターネットなどの広域通信ネットワーク３０と接続し、管理サーバ２２と通信を行う。
データバス１２８は、情報処理端末１２の各部を情報データが流通可能なように接続するものである。
【００３３】
ネイティブタイプの太陽光発電設備保守システム１の情報処理端末１２においては、大規模太陽光発電設備を保守するためのアプリ、保守点検情報テーブルに格納された保守に関するデータ及び保守に必要なドキュメント類のすべてを記憶部１２４に記憶し、情報処理端末１２と太陽電池モジュール４２２に貼付された二次元コード１０のみで保守点検、補修、交換などの情報を入力及び入手することができる。ネイティブタイプの太陽光発電設備保守システム１は、広域通信ネットワーク３０に接続できない状況にある場合に用いる。例えば、山間部の急傾斜地に設置された大規模太陽光発電設備４０では広域通信ネットワーク３０に接続できないことが想定される。その場合には、ネイティブタイプの太陽光発電設備保守システム１の情報処理端末１２を用いて保守点検作業を行い、後ほど広域通信ネットワーク３０に接続して管理サーバ２２に取得した情報を送信することで対応する。
【００３４】
管理サーバ２２は、サーバ処理部２２３、サーバ記憶部２２４、サーバ通信部２２７及びサーバデータバス２２８から構成される。図３では、最小限の構成を示したが、保守点検作業を支援するため、又は作業の効率を向上させるためにサーバ入力部やサーバ表示部を備えていてもよい。
サーバ処理部２２３は、大規模太陽光発電設備４０において太陽電池モジュール４２２の保守点検を行うために入力及び取得された各種情報について演算及び保守点検情報テーブルへの格納を行う。
サーバ記憶部２２４は、太陽電池モジュール４２２の保守点検を行うための保守点検情報テーブルを保存し、サーバ処理部２２３の要求に応じて適宜入出力を行う。
サーバ通信部２２７は、例えばインターネットなどの広域通信ネットワーク３０と接続し、情報処理端末１２と通信を行う。
サーバデータバス２２８は、管理サーバ２２の各部を情報データが流通可能なように接続するものである。
【００３５】
ネットワークタイプの太陽光発電設備保守システム２の管理サーバ２２においては、大規模太陽光発電設備４０を保守するためのアプリ、及び保守に必要なドキュメント類をサーバ記憶部２２４に記憶し、情報処理端末１２から取得した情報について演算処理を行い、保守点検に必要な情報を記憶する。情報処理端末１２から入力された命令に従って、演算処理を行い、要求された情報を情報処理端末１２に送信することを基本とするが、情報処理端末１２の処理部１２３又は管理サーバ２２のサーバ処理部２２３のいずれに演算処理機能を持たせてもよい。
【００３６】
ネットワークタイプの太陽光発電設備保守システム２の情報処理端末１２においては、二次元コード１０からの情報を取得部１２２から入手、その他の情報又は各種の命令を入力部１２５から入力及び表示部１２６への出力を実行する。
【００３７】
ローカルネットワーク上に配置された管理サーバ２２やいわゆるクラウドと呼ばれる管理サーバ２２を活用することにより、情報処理端末１２を選ぶことなく、複数の大規模太陽光発電設備４０の保守点検情報を自在に入手することが可能である。また、複数の保守点検作業者によって同時に行う大規模太陽光発電設備４０の保守点検作業が容易になる。
【００３８】
図４は、本発明に係る太陽光発電設備保守システムにおいて、情報処理端末１２又は管理サーバ２２で使用する保守点検情報テーブルの一例である。保守点検情報テーブルには、例えば、シリアル番号、区画番号、太陽電池アレイ番号、太陽電池モジュール番号、ジャンクションボックス（接続箱）番号、ストリング（ブレーカ）番号が、太陽電池モジュール４２２の位置を示す情報として格納される。その他の情報として、問題種別（エラーコード）、点検の情報が記載された報告書や保守マニュアルなどのファイル名やファイルの記憶場所が格納される。報告書には、点検・試験記録、点検実施日、補修・交換部品の履歴及び不具合発生状況を撮影した写真などが収められる。保守マニュアルは、発電システムの正常な動作を検証するための手順、システム障害が発生した場合の復旧手順や緊急停止の手順などが記載される。保守点検情報テーブルを用いた太陽電池モジュール４２２の位置の識別については、後述する。
【００３９】
図５は、大規模太陽光発電設備４０の一例を示した平面配置図である。大規模太陽光発電設備４０は、太陽電池アレイ４２、ＰＣＳ及びジャンクションボックス（接続箱）４４を基本構成とする。
太陽電池アレイ４２は、架台４２４又は基礎などをもち、太陽電池モジュール４２２を機械的に一体化し、結線した集合体である。
太陽電池モジュール４２２は、太陽電池セル４２２２を複数枚配列し耐環境性を持たせるために樹脂や強化ガラスなどの外囲器に封入して保護し、かつ、規定の出力を備えた最小単位の発電ユニットであり、太陽電池パネルとも呼ばれる。図７に太陽電池モジュール４２２の正面方向から視た斜視図を示した。
太陽電池セル４２２２は、太陽電池の基本単位で光電変換素子そのものである。図７において、外囲器内に並べられた四角形状の素子が太陽電池セル４２２２である。
【００４０】
大規模太陽光発電設備４０は、太陽電池アレイ４２を並列に接続し一区画を形成する。さらに、複数区画に拡張してメガワット（ＭＷ）を出力する発電設備となる。
【００４１】
図６は、図５における太陽電池アレイ４２の一区画（区画番号「１」）を示した平面配置図である。上端の四角枠中の数字は区画番号である。区画の左の数字は行番号である。区画の上の数字は列番号である。図６では、同じ行番号に属する太陽電池モジュール４２２が、直列に接続されて太陽電池アレイ４２を形成している（図６の場合、２１列の太陽電池モジュール４２２）。したがって、前記行番号を太陽電池アレイ番号と呼び、前記列番号を太陽電池モジュール番号と呼ぶ。複数行の太陽電池アレイ（図６では、１７個の太陽電池アレイ４２）が並列に接続されて一区画を形成している。
【００４２】
図４の保守点検情報テーブルでは、区画番号、太陽電池アレイ番号（行番号）、太陽電池モジュール番号（列番号）を利用して太陽光モジュールの位置を識別する。例えば、シリアル番号「７４」の場合、区画番号「１」、太陽電池アレイ番号「４」、太陽電池モジュール番号「１１」と示されている。これを図６に当てはめると、上から４行目の太陽電アレイの左から１１番目の太陽電池モジュール４２２に該当する。太陽電池モジュール４２２に貼付する二次元コード１０にも当該位置情報が格納される。
【００４３】
ＰＣＳ（不図示）は、太陽電池モジュール４２２で発電した直流電力を、交流電力に変換するための装置である。電力を変換するだけでなく出力品質を制御するなど自動運転のための各種機能を備えている。また、ジャンクションボックス（接続箱）４４は、太陽電池モジュール４２２から引き出した出力ケーブルをまとめ、ＰＣＳに接続するための機器である。
【００４４】
図８は、二次元コード１０を貼付した太陽電池モジュール４２２を直列に接続して設置した状態（太陽電池アレイ４２の状態）を示した斜視図である。通常は、十枚以上の太陽電池モジュール４２２を直列に接続するが、図では便宜上三枚の太陽電モジュールの接続を示した。図８は、架台４２４にフロート４２６を用いて水上に浮かぶようにしたものを例示した。ため池などに大規模太陽光発電設備４０を設置する場合の設置方法である。太陽電池モジュール４２２は発電効率が高くなるように傾斜させて設置する。例えば、東向き斜面においては、東から南向きで太陽の経路に向けて傾斜させて設置する。ため池など平地においては、南向きで太陽の経路に向けて傾斜させて設置する。二次元コード１０は、太陽光や雨水などの影響を考慮すると図８に示したように傾斜した太陽電池モジュール４２２の高い方の外周部分において太陽電池セル４２２２対して垂直に貼付するのが好ましいが、これに限定されるものではない。
【００４５】
図９は、太陽電池モジュール４２２に貼付された二次元コード１０を情報処理端末１２で読み取る作業を示した模式図である。予め二次元コード１０を読み取って演算処理を行うアプリをインストールした情報処理端末１２を用いて、画像が入力できる機能を備えた取得部１２２で二次元コード１０を撮像して二次元コード１０に格納された情報を取り出す。二次元コード１０には、撮像した二次元コード１０が貼付された太陽電池モジュール４２２に関する位置情報（区画番号、太陽電池アレイ番号及び太陽電池モジュール番号）が格納されており、情報処理端末１２又は管理サーバ２２において保守点検情報テーブルを参照し、情報処理端末１２の表示部１２６である画面１２６１に大規模太陽光発電設備４０の配置図上の当該太陽電池モジュール４２２を示す部分の色を変えるなどして、作業者に視覚的に示す。また、作業者の命令により保守点検情報テーブルを参照して当該太陽電池モジュール４２２の保守点検情報を記憶部１２４又はサーバ記憶部２２４から入手する。ネットワークタイプの太陽光発電設備保守システム２の場合、情報処理端末１２の処理部１２３又は管理サーバ２２のサーバ処理部２２３のいずれに演算処理機能を持たせてもよい。
【００４６】
図１０は、情報処理端末１２の表示部１２６に示す大規模太陽光発電設備４０の配置図の一例である。図１０は、図５で示した大規模太陽光発電設備４０の配置図を情報処理端末１２の画面１２６１の上に表示したものである。当該配置図は、保守点検情報テーブルの内容と関連付けられており、不具合の発生している太陽電池モジュール４２２（不具合箇所５０）に貼付された二次元コード１０の位置情報を取得部１２２から読み取って保守点検情報テーブルを参照し画面１２６１に示された配置図に色を変えて表示することができる。
【００４７】
図１０では、区画番号「１」の区域の太陽電池モジュール４２２の点検を行い、トラブルの発生状況を情報処理端末１２から入力して保守点検情報テーブルに格納して位置情報と関連付けて、情報処理端末１２の画面１２６１に表示させたことを示している。例えば、区画番号「１」において、上から４行目の太陽電池アレイ４２の左から１１番目の太陽電池モジュール４２２で不具合を発見した場合、当該太陽電池モジュール４２２に貼付された二次元コード１０を読み取り、保守点検情報テーブルの区画番号「１」、太陽電池アレイ番号「４」、太陽電池モジュール番号「１１」に該当する欄を照合する。区画番号、太陽電池アレイ番号及び太陽電池モジュール番号は、事前に保守点検情報テーブルに入力しておき、配置図と関連付けを行っておく必要がある。エラーコードを入力し問題種別の欄に格納する。保守点検フラグとしてのエラーコードを入力されることによって、図１０の太陽電池モジュール４２２の配置図に不具合箇所５０として色を変えて表示させる。その他に写真や保守に必要な情報を記載した報告書を作成しファイル名を入力し、報告内容の欄に格納する。
【００４８】
また、今回点検時以前の保守点検の履歴に関しても、これまでに記憶された報告書を閲覧することによって確認することができる。
【００４９】
従来の太陽電池モジュール４２２の識別番号を目視により確認し手作業で記録を行っていた保守点検作業では、同型式の太陽電池モジュール４２２が数多く並んでいる大規模太陽光発電設備４０において、人為的なミスが発生しやすかった。一方、本発明に係る太陽光発電設備保守システムによれば、必ず二次元コード１０を読み込んでから情報の入力を行うために、入力の際の間違いの発生が激減する。
【００５０】
図１１は、大規模太陽光発電設備４０の一区画の配置図を情報処理端末１２の表示部１２６に拡大表示した一例を示した図である。大規模太陽光発電設備４０の規模が非常に大きいために、図１０に示した大規模太陽光発電設備４０全体の配置図を情報処理端末１２の画面１２６１に表示したものでは、一枚の太陽電池モジュール４２２の表示が非常に小さくなり認識できない場合がある。そのような場合に区画ごとに拡大表示を行う、又は、任意の倍率で太陽電池モジュール４２２の配置図を変更できるようにしておくことが好ましい。
【００５１】
図１０で、「Ｅｒｒ１」を網掛で、「Ｅｒｒ２」を塗りつぶしに配色して表示しているが、一枚のモジュールの表示が小さいため、判別できない。図１１のように拡大表示を行うことによって、エラーの種別を色分けした表示を識別することができる。
【００５２】
任意の大規模太陽光発電設備４０における不具合発生状況は、現場以外において、いつでも図１０及び図１１に示した情報処理端末１２の画面１２６１の配置図上で確認することができる。特に、ネットワークタイプの太陽光発電設備保守システム２においては、リアルタイムで当該太陽光発電設備保守システム２に参加する大規模太陽光発電設備４０の保守点検情報を入手することが可能である。
【００５３】
図１２では、本発明に係る太陽光発電設備保守システムを用いて作業者Ｍが目的の太陽電池モジュール４２２（不具合箇所５０）に到達する過程を示した図である。点検を行って不具合の発生が確認された太陽電池モジュール４２２（不具合箇所５０）に後日補修のために向かうのには、同型式の太陽電池モジュール４２２が多数並んだ大規模太陽光発電設備４０においては困難が伴う。その場合に、本発明に係る太陽光発電設備保守システムを用いれば容易に目的とする太陽電池モジュール４２２に到達することができる。ネイティブタイプの太陽光発電設備保守システム１又はネットワークタイプの太陽光発電設備保守システム２のいずれにおいても同様である。
【００５４】
図１３は、本発明に係る太陽光発電設備保守システムを用いて作業者Ｍが目的の太陽電池モジュール４２２（不具合箇所５０）に到達するための案内モードを示した図である。まず、情報処理端末１２において、保守を行う太陽電池モジュール４２２（不具合箇所５０）を目的地として配置図上で選択し、ハイライトさせるなどして他の保守のための太陽電池モジュール４２２（不具合箇所５０）と区別する。ハイライトは一例であって、目的地であることが理解できる表示であればよい。太陽電池モジュール４２２（不具合箇所５０）の選択は、図１３の場合、区画番号「１」、太陽電池アレイ番号「５」及び太陽電池モジュール番号「１２」を入力する形態でもよいが、タッチパネル上でタッチすることによって入力されるものが現地で作業する上で簡便でよい。
【００５５】
図１３及び図１４では、目的地としてハイライトさせた太陽電池モジュール４２２（不具合箇所５０）以外の不具合箇所５０も同時に表示させている。作業者Ｍにとっては、続いて補修作業を行う太陽電池モジュール４２２（不具合箇所５０）の位置が把握できて作業スケジュールが立てやすくなる効果がある。予め向かう複数の太陽電池モジュール４２２（不具合箇所５０）の順序を入力しておき、作業が終わるたびに次に向かう太陽電池モジュール４２２（不具合箇所５０）を表示させるコマンドを情報処理端末１２に入力し、次の目的地をハイライトさせてもよい。保守点検作業の共通性の観点からの優先順の決定等において有用な効果がある。図１３及び図１４において、目的地以外の不具合箇所５０を表示するか否かは、作業者Ｍの選択によって情報処理端末１２にコマンドを入力して、行われることとしてもよい。
【００５６】
次に、区画番号「１」、太陽電池アレイ番号「１３」、太陽電池モジュール番号「２１」の位置に作業者Ｍが居たと想定して、作業者Ｍが、前記の太陽電池モジュール４２２に貼付された二次元コード１０を情報処理端末１２の取得部１２２を通じて読み取り、図１３の拡大配置図上に表示させる。この場合は、現在位置入力であり、保守点検フラグであるエラーコードを入力せず、二次元コード１０を読み取った任意の太陽電池モジュール４２２（現在位置６０）を表示させるのみである。これが作業者Ｍの現在位置６０に相当する。図１２及び図１３では、該当する太陽電池モジュール４２２に右上から左下への斜線を付して現在位置６０を表示した。
【００５７】
作業者Ｍは、目的とする太陽電池モジュール４２２（不具合箇所５０）と現在位置との相対的な位置関係が確認できる。また、図１３に示したように、矢印などにより目的地までの最短距離が配置図上に示して作業者Ｍの移動を容易にする。
【００５８】
図１４は、本発明に係る太陽光発電設備保守システムを用いて作業者Ｍを目的の太陽電池モジュール４２２（不具合箇所５０）に案内中の状態を示した図である。作業者Ｍは、若い太陽電池アレイ番号の方向に移動し、再度、任意の太陽電池モジュール４２２の二次元コード１０を情報処理端末１２によって読み取る。図１２及び図１４では、読み取った太陽電池モジュール４２２を左上から右下への斜線で現在位置６０を表示した。これを繰り返して、情報処理端末１２の画面１２６１の配置図上で現在位置６０を確認した作業者Ｍが、目的とする太陽電池アレイ４２を認識し、若い太陽電池モジュール番号の方向に移動し、必要に応じて太陽電池モジュール４２２の二次元コード１０を読み取って現在位置６０を確認しつつ、目的の太陽電池モジュール４２２（不具合箇所５０）に到達する。
【００５９】
本発明に係る太陽光発電設備保守システムを用いることにより、作業者自身の位置と保守点検が必要な太陽電池モジュール４２２（不具合箇所５０）の相対的な位置関係が配置図上に示され視覚によって把握でき、容易かつ最短で目的の太陽電池モジュール４２２に導かれる。
【００６０】
最近では、ＧＰＳを活用した位置を認識するシステム（特許文献１）も開示されているが、ため池などに数ｃｍから１ｍ程度以内に近接して並べられてフロート４２６を架台４２４として設置された太陽電池モジュール４２２は、風や波によって位置が変動するために、目的とする太陽電池モジュール４２２を識別することが難しい場合がある。また、急斜面に設置された太陽電池モジュール４２２は、ＧＰＳでは上下方向の位置を把握することができないため、該当する太陽電池モジュール４２２の識別が難しい場合がある。本発明に係る太陽光発電設備保守システムによれば、ＧＰＳによる誤差が問題になることがなく、目的の太陽電池モジュール４２２の位置を識別することができる。また、本発明に係る太陽光発電設備保守システムとＧＰＳを組み合わせて、ＧＰＳを活用して目的の太陽電池モジュール４２２にアプローチし、数メートルの範囲に近づいた際に、作業者に近い任意の太陽電池モジュール４２２の二次元コード１０を読み取って正確な位置を識別する方法を用いてもよい。
【産業上の利用可能性】
【００６１】
大規模太陽光発電設備に限定されることなく中規模又は小規模の太陽光発電設備に活用しても保守点検作業の大幅な効率化を図ることができる。特に、水上や急傾斜地などに設置された位置の識別が難しい太陽電池モジュールの保守点検作業に使用することが有効である。
【符号の説明】
【００６２】
１  太陽光発電設備保守システム（ネイティブタイプ）
２  太陽光発電設備保守システム（ネットワークタイプ）
１０  二次元コード
１２  情報処理端末
１２２  取得部
１２３  処理部
１２４  記憶部
１２５  入力部
１２６  表示部
１２６１  画面
１２７  通信部
１２８  データバス
２２  管理サーバ
２２３  サーバ処理部
２２４  サーバ記憶部
２２７  サーバ通信部
２２８  サーバデータバス
３０  広域通信ネットワーク
４０  大規模太陽光発電設備
４２  太陽電池アレイ
４２２  太陽電池モジュール
４２２２  太陽電池セル
４２４  架台
４２６  フロート
４４  ジャンクションボックス（接続箱）
５０  不具合箇所
６０  現在位置
Ｍ  作業者
【図１】
2020046697.tif 000003
【図２】
2020046697.tif 000004
【図３】
2020046697.tif 000005
【図４】
2020046697.tif 000006
【図５】
2020046697.tif 000007
【図６】
2020046697.tif 000008
【図７】
2020046697.tif 000009
【図８】
2020046697.tif 000010
【図９】
2020046697.tif 000011
【図１０】
2020046697.tif 000012
【図１１】
2020046697.tif 000013
【図１２】
2020046697.tif 000014
【図１３】
2020046697.tif 000015
【図１４】
2020046697.tif 000016